(57)【要約】【課題】拭き取り部をメラミンスポンジとした清掃具において、剥離したメラミンスポンジの小片による目詰まりを防止する。【解決手段】ブロック状のメラミンスポンジの外面の一面に、逃がし溝１１ａを形成して清掃具１０を構成した。この拭き取り面１１を被清掃面に擦り付けると、凸部１１ｂの頂部が剥離して剥離片を生ずるが、この剥離片は逃がし溝１１ａに収納および案内されて清掃具１０の外へと排出されるため、剥離片により目詰まりを起こすことがなく、清掃作業を円滑に行うことができる。逃がし溝１１ａは、直線状に並列し、並列した各々が、一側から他側にかけて拭き取り面１１を横断し、これにより清掃具１０の断面は波型となっている。そのため、逃がし溝１１ａの走る方向に沿って清掃具１０を動かすと、剥離片が逃がし溝１１ａの中途で引っかかる心配がなく、目詰まりの防止に万全が期されている。【選択図】図１
0003120373.tif 000002
【実用新案登録請求の範囲】
【請求項１】
メラミンスポンジからなる拭き取り部を少なくとも有する清掃具において、
前記拭き取り部はその外面に一または複数の拭き取り面を有し、前記拭き取り面のうち、少なくとも一面に、拭き取り面を摩擦した際に生じるメラミンスポンジの剥離片を、拭き取り面の外に排出するための逃がし溝を、当該拭き取り面の外周に連通するように設けたことを特徴とする清掃具。
【請求項２】
拭き取り部のみからなり、この拭き取り部の形状はブロック状であり、その外面である拭き取り面のうちの一面に上記逃がし溝を設けた請求項１に記載の清掃具。
【請求項３】
上記逃がし溝は、上記拭き取り面において複数が直線状に並列し、それぞれが拭き取り面を横断する請求項１または２に記載の清掃具。
【請求項４】
上記逃がし溝が設けられたことにより、凹凸状に形成された拭き取り面の、断面形状は波型である請求項１から３のいずれかに記載の清掃具。
【考案の詳細な説明】
【技術分野】
【０００１】
この考案は、メラミンスポンジからなる拭き取り部を有する清掃具に関する。
【背景技術】
【０００２】
スポンジからなる拭き取り部を有する清掃具は、食器洗い等に広く利用されており、洗浄力や研磨力等を向上させるために種々の工夫がなされている。
【０００３】
たとえば、特許文献１に記載されているように、メラミンスポンジからなる清掃具が従来から広く利用されている。
このようなメラミンスポンジは、ウレタンスポンジ等に比べて硬質であるため、摩擦力が大きく洗浄力に優れている。また、メラミンスポンジは、ウレタンスポンジ等に比べると非常にもろいため、摩擦により表面が剥離し、その剥離片が細かく破砕されると研磨剤のような作用を示し、研磨力にも優れている。
【特許文献１】特開平１１−１２８１３７号公報
【考案の開示】
【考案が解決しようとする課題】
【０００４】
しかし、特許文献１に記載の清掃具の場合、その外面が平滑であるため、擦り作業の際に、剥離したメラミンスポンジの小片が拭き取り部の拭き取り面上に滞留して目詰まりを起こしてしまい、清掃作業に支障をきたす問題がある。
【０００５】
そこで、この考案は、拭き取り部をメラミンスポンジとした清掃具において、剥離したメラミンスポンジの小片による目詰まりを防止することをその課題とする。
【課題を解決するための手段】
【０００６】
上記した課題を解決するため、この考案にかかる清掃具においては、外面に一または複数の拭き取り面を有するメラミンスポンジからなる拭き取り部の、この拭き取り面のうち、少なくとも一面に、当該拭き取り面の外周に連通するように逃がし溝を形成し、この逃がし溝により、拭き取り面を摩擦した際に生じるメラミンスポンジの剥離片を、拭き取り面外に排出することとした。
【０００７】
このように、擦り作業の際に生じたメラミンスポンジの剥離片を、逃がし溝が収納および案内して拭き取り面外に逃がすことにより、目詰まりを防止でき、その結果、効率的に清掃作業を行うことができる。
ここでいう、メラミンスポンジには、剥離を容易にし、研磨力を維持するため、加熱加圧等により圧縮加工されたものは除かれている。
【０００８】
なお、特許文献２には、拭き取り部の表面に凹凸を形成した清掃具が記載されているが、この凹凸は、被洗浄面の凹凸にフィットさせることで、洗浄力を向上させるためだけのものであって、この構成からは、凹部に剥離片を排出する逃がし溝としての機能を持たせることが予見し得ない。
【特許文献２】実開昭５０−１２８９６８号公報
【０００９】
また、特許文献３には、拭き取り部のメラミンスポンジを加熱および加圧して圧縮加工し、さらにその表面にエンボス加工等により、凹凸を形成した清掃具が記載されているが、この場合、圧縮加工によりメラミンスポンジの剥離が防止されているため、凹凸の凹部が、剥離片を排出する逃がし溝の機能を持つことはありえない。
【特許文献３】特開２００２−３５５２１１号公報
【００１０】
上記した場合において、清掃具を拭き取り部のみからなるものとし、この拭き取り部の形状をブロック状とし、その外面である拭き取り面のうちの一面に逃がし溝を形成すると、構造が簡易であるためスポンジシートを打ち抜くなどして製造が容易であり、結果製造コストが低廉である。
【００１１】
上記した場合において、逃がし溝は、上記拭き取り面において複数が直線状に並列し、それぞれが拭き取り面を横断するように形成するとよい。
このように構成し、逃がし溝が拭き取り面を横断する方向に沿って擦り作業を行えば、拭き取り部の進行方向と、逃がし溝が走る方向が一致するため、剥離したメラミンスポンジの小片が拭き取り面の途中で引っ掛かることなく、スムーズに拭き取り面外に排出される。
【００１２】
上記した場合において、逃がし溝により凹凸状になった拭き取り面の断面形状を波型に形成すると、拭き取り面の逃がし溝の部分とそれ以外の部分との境界が円弧状の滑らかな曲線となるため、境界に剥離した小片が引っ掛かることがなく、よりスムーズに拭き取り面外に排出することができる。
【考案の効果】
【００１３】
この考案にかかる清掃具においては、拭き取り面のうちの少なくとも一面に、当該拭き取り面の外周に連通する逃がし溝を形成した。
このような構成により、拭き取り面を摩擦した際に生じるメラミンスポンジの剥離片は、この逃がし溝に収納および案内されて拭き取り面の外に排出され、目詰まりすることがなくなるという効果を奏することとなる。
【考案を実施するための最良の形態】
【００１４】
以下、図面を参照しつつこの考案の実施形態について説明する。
【００１５】
実施形態にかかる清掃具１０は、図１（ａ）のように、メラミンスポンジからなるブロック体であって、その外面は、それぞれ拭き取り作業の際に被清掃物に対し擦り付ける拭き取り面１１となっており、これらのうちの一面は、逃がし溝１１ａが設けられて凹凸状となっており、他面はすべて平滑になっている。
詳細には、清掃具１０の拭き取り面１１の逃がし溝１１ａは、図示のように、複数が直線状に並列し、各々が一側から他側にかけて拭き取り面１１を横断している。
そして、図１（ｂ）のように、並列するそれぞれの逃がし溝１１ａの断面は、中央が下に凸の円弧を描き、両側が上に凸の円弧を描くようにして窪んでいる。そして、図示のように、隣接する逃がし溝１１ａの両側の上に凸の円弧部分同士は連結されて凸部１１ｂとなっている。このようにして、上に凸の円弧と、下に凸の円弧とが交互に連続するため、拭き取り面の断面形状は、滑らかな波型となっている。
【００１６】
このような清掃具１０を製造するには、まず、外面の平滑なメラミンスポンジシートを用意する。このシート原材を、表面に波型の凹凸形状が設けられた特殊ロールあるいは波型の金型に挟み込んで圧縮、湾曲させた状態で、その中程を水平にカッタで切断して２分割する。これをロールまたは金型から取り外すと、シート原材の圧縮、湾曲状態が解除されるとともに、この水平であった切断面が復元、湾曲して波型になる。
このようにして、一枚の外面の平滑なメラミンスポンジシートから、一面が断面波型の凹凸面となり、他面が平滑なメラミンスポンジシートが二枚出来上がる。そして、このシートを方形に打ち抜くことで簡易にかつ低コストで清掃具１０が完成する。
その他、外面の平滑なメラミンスポンジシートの一面を切削して溝を形成し、これを方形に打ち抜いて清掃具１０を製造するなどしてもよいことは無論である。
【００１７】
この清掃具１０の使用法の一例は以下のようである。まず、図２（ａ）のように、食器等の被清掃面３０に、清掃具１０の逃がし溝１１ａが設けられた拭き取り面１１を押し当てて動かす。すると、被清掃面３０に拭き取り面１１の凸部１１ｂが擦り付けられることにより、食器等の汚れが払拭される。
この際に、清掃具１０を構成するメラミンスポンジは、圧縮加工等が施されておらず、もろいため、図示のように、凸部１１ｂの頂部は剥離して、剥離片２０が生じる。清掃具１０の拭き取り面１１が平滑である場合には、このような剥離片２０により目詰まりが生じるが、上述したようにこの拭き取り面１１は逃がし溝１１ａを有するため、図示のように、この剥離片２０は、この逃がし溝１１ａ内に収納され、目詰まりが防がれる。
【００１８】
さらに、図２（ｂ）のように、清掃具１０が、逃がし溝１１ａが拭き取り面１１を横断する方向に沿うように擦り作業を行うと（図中矢印参照）、剥離片２０は逃がし溝１１ａに案内されて、図２（ｃ）のように清掃具１０外にスムーズに排出される。このため、逃がし溝１１ａ内に剥離片２０が滞留および充満することはなく、一層目詰まりが防がれる。
【００１９】
なお、この実施形態においては、操作性や、製造工程の簡略化を考えて清掃具１０の拭き取り面の一面のみに逃がし溝１１ａを形成しているが、拭き取り面１１の複数面に逃がし溝１１ａを形成しても勿論構わない。
また、逃がし溝１１ａの形状はこの実施形態に限られず、側面まで連通し、剥離片２０を清掃具１０外に排出する機能を担保する限りにおいて、あらゆる形状が採用されうる。たとえば、拭き取り面に格子点状に凸部１１ｂを設け、他の窪み部分を逃がし溝１１ａとしてもよい。
【００２０】
また、この実施形態においては、清掃具１０をメラミンスポンジのみから形成したが、これに限られず、握って操作しやすくするために、柄やバンドなどを取り付けたり、フックなどに引っ掛けるための紐を取り付けたりしても構わない。
【図面の簡単な説明】
【００２１】
【図１】（ａ）は実施形態に掛かる清掃具の斜視図、（ｂ）は（ａ）の矢印断面図
【図２】清掃具の使用状態図
【符号の説明】
【００２２】
１０  清掃具
１１  拭き取り面
１１ａ  逃がし溝
１１ｂ  凸部
２０  剥離片
３０  被清掃面
【図１】
0003120373.tif 000003
【図２】
0003120373.tif 000004